(57)【特許請求の範囲】
【請求項１】
排水口を通水可能に塞ぐキャップ本体と、
一端部側が前記キャップ本体に固定され、他端部側が前記排水口に挿入される支持棒部材と、
前記支持棒部材の長手方向に対して移動可能に係合された移動部材と、
前記排水口の径よりも出っ張らないよう弓なりに前記移動部材と前記支持棒部材の他端部に固定された可撓性部材と、
前記移動部材を前記支持棒部材の長手方向に移動させて前記可撓性部材を撓ませるロッドと、
前記可撓性部材を撓ませて前記排水口の内周面に接触させた状態で前記ロッドを固定させるロック機構と、を備えたことを特徴としたドレンキャップ。
【請求項２】
前記可撓性部材は、
移動部材側に撓み変形する撓み部と、
前記支持棒部材の他端部側に前記撓み部よりも剛性が高い高剛性部と、を有したことを特徴とした請求項１に記載のドレンキャップ。
【発明の詳細な説明】
【技術分野】
【０００１】
本発明は、建築物の排水口に取り付けられるドレンキャップに関する。
【背景技術】
【０００２】
ビルやマンション等の建築物の屋上や各階のベランダには、雨水を排水し得るよう排水口（ドレン）が設けられているのが一般的である。この種の排水口には、雨水に随伴される落ち葉、小枝、紙、又は、ビニールといった固形物の侵入防止、及び、排水口が剥き出しになることによる物の落下の回避、美観の保持等といった観点からドレンキャップが取り付けられている。
【０００３】
図８は、従来のドレンキャップ１０１の一例を示した側面図である。ドレンキャップ１０１は、排水口１０２を通水可能に塞ぐキャップ本体１０３を備えている。このキャップ本体１０３は、図に示す様なハット形で、雨水を通すために図示しない開口が複数形成されている。そして、キャップ本体１０３は、支持棒部材１０４を介してループばね板１０５が固定されている。このループばね板１０５は、排水口１０２の直径よりも大きな径となっている。
【先行技術文献】
【特許文献】
【０００４】
【特許文献１】特開２０１１−６９３４号公報
【発明の概要】
【発明が解決しようとする課題】
【０００５】
しかしながら、図８に示した従来のドレンキャップ１０１は、排水口１０２に取り付けるためにループばね板１０５を排水口１０２の径よりも小さく撓ませて排水口１０２に挿入する必要があり、取り付け性について改善の余地を残していた。
【０００６】
そこで、本発明は、排水口への取り付けが容易なドレンキャップを提供することを目的としている。
【課題を解決するための手段】
【０００７】
本発明のドレンキャップは、排水口を通水可能に塞ぐキャップ本体と、一端部側が前記キャップ本体に固定され、他端部側が前記排水口に挿入される支持棒部材と、前記支持棒部材の長手方向に対して移動可能に係合された移動部材と、前記排水口の径よりも出っ張らないよう弓なりに前記移動部材と前記支持棒部材の他端部に固定された可撓性部材と、前記移動部材を前記支持棒部材の長手方向に移動させて前記可撓性部材を撓ませるロッドと、前記可撓性部材を撓ませて前記排水口の内周面に接触させた状態で前記ロッドを固定させるロック機構と、を備えている。
【０００８】
前記可撓性部材は、移動部材側に撓み変形する撓み部と、前記支持棒部材の他端部側に前記撓み部よりも剛性が高い高剛性部と、を有したことを特徴としている。
【発明の効果】
【０００９】
本発明のドレンキャップによれば、排水口に容易に取り付けられる。
【図面の簡単な説明】
【００１０】
【図１】本発明のドレンキャップが排水口に固定された様子を示す側面図である。
【図２】（Ａ）は、移動凹部材を示す断面図であり、（Ｂ）は、図２（Ａ）のＩＩＢ−ＩＩＢ矢視図であり、移動凹部材を示す平面図である。
【図３】可撓性帯状部材の一例を示す図である。
【図４】（Ａ）は、固定凸部材を示す断面図であり、（Ｂ）は、図４（Ａ）のＩＶＢ−ＩＶＢ矢視図であり、固定凸部材の平面図を示す図である。
【図５】本発明のドレンキャップが排水口に固定される前の様子を示す側面図である。
【図６】（Ａ）は、図５の状態からロッドを押し下げた様子を示す側面図である。（Ｂ）は、図６（Ａ）の状態から更にロッドを押し下げた様子を示す側面図である。
【図７】ドレンキャップの他の実施例を示す側面図である。
【図８】従来のドレンキャップの一例を示した側面図である。
【発明を実施するための形態】
【００１１】
以下、本発明の実施をするための形態の例（以下、実施例と呼ぶ）を図１〜図６を参照しながら説明する。図１は、本発明のドレンキャップ１が排水口２１に固定された様子を示す側面図である。図５は、本発明のドレンキャップ１が排水口２１に固定される前の様子を示す側面図である。
【００１２】
ドレンキャップ１は、キャップ本体２と、支持棒部材３と、移動凹部材４（移動部材）と、可撓性帯状部材５（可撓性部材）と、ロッド６と、移動凸部材７と、押し上げロッド８と、コイルばね１０と、ロック機構１１と、を備えている。
【００１３】
キャップ本体２は、擂鉢部分と、フランジ部分と、を有したハット形である。このキャップ本体２は、ドレンキャップ１が排水口２１に取り付けられると、排水口２１を通水可能に塞ぐ部分となる。キャップ本体２は、支持棒部材３を支持する四本の支持アーム部２ａを有している。
【００１４】
支持棒部材３は、全体形状が円筒形状である。そして、支持棒部材３は、一端部３ａがキャップ本体２における頂部の中央に固定され、中央部がキャップ本体２の支持アーム部２ａに固定される。この支持棒部材３は、ドレンキャップ１が排水口２１に取り付けられる際に、他端部３ｂ側が排水口２１に挿入される部分となる。
【００１５】
また、支持棒部材３には、長手方向の中央部よりも一端部３ａ側における外周に逆Ｔの字形の係合穴３ｃが形成され、長手方向の中央部よりも他端部３ｂ側の外周に長手方向が長軸に沿うように形成されたガイド長穴３ｄが周方向に対して等間隔に四個形成されている。支持棒部材３の内部には、一端部３ａ側から他端部３ｂ側へ向けて、ロッド６の一部と、移動凸部材７と、押し上げロッド８と、コイルばね１０と、が配される。
【００１６】
図２（Ａ）、図２（Ｂ）を参照しながら、移動凹部材４を説明する。図２（Ａ）は、移動凹部材４を示す断面図であり、図２（Ｂ）は、図２（Ａ）のＩＩＢ−ＩＩＢ矢視図であり、移動凹部材４を示す平面図である。
【００１７】
移動凹部材４は、円筒形状から等間隔に四個の凹部４ｃが形成された本体部４ａと、本体部４ａから径方向に延びる四つの固定部４ｂと、を有している。移動凹部材４は、支持棒部材３の長手方向に対して移動可能に係合される。
【００１８】
図３を参照しながら可撓性帯状部材５を説明する。図３は、可撓性帯状部材５の一例を示す図である。可撓性帯状部材５は、例えば、ステンレス鋼を樹脂で覆った帯状の板ばね部材で構成され、可撓性を有している。
【００１９】
この可撓性帯状部材５は、撓み変形する部分となる撓み部５ａと、撓み部５ａよりも剛性が高い高剛性部５ｂと、を有している。高剛性部５ｂは、例えば、ステンレス鋼を厚み方向に重ね合せることによって撓み部５ａよりも剛性を強めている。高剛性部５ｂには、必要に応じて強度を高めるためにビード加工を施しても良い。
【００２０】
図５に示すとおり、可撓性帯状部材５は、撓み部５ａが移動凹部材４の固定部４ｂに、高剛性部５ｂが支持棒部材３の他端部３ｂに固定され、通常状態において排水口２１の径よりも出っ張らないよう弓なりに固定される。そうすると、可撓性帯状部材５は、移動凹部材４側に、撓み変形する撓み部５ａと、支持棒部材３の他端部３ｂ側に、撓み部５ａよりも剛性が高い高剛性部５ｂと、を有する。そして、可撓性帯状部材５は、例えば、支持棒部材３の四方に出っ張るように１対、移動凹部材４の固定部４ｂと支持棒部材３の他端部３ｂに対して固定される。
【００２１】
可撓性帯状部材５は、このように固定されると、支持棒部材３の他端部３ｂから高剛性部５ｂが支持棒部材３に対して離れるように直線状で傾いて延び、途中から撓み部５ａとなって支持棒部材３からもっとも離れたのちに支持棒部材３に対して近づくように湾曲しながら延びる。
【００２２】
また、可撓性帯状部材５は、移動凹部材４の移動に伴い支持棒部材３の長手方向に直交する方向（支持棒部材の径方向）へ広がったり、縮んだりするように撓み変形する。すなわち、移動凹部材４が支持棒部材３の他端部３ｂ側へ移動すると、支持棒部材３の長手方向に直交する方向へ広がるように撓み変形する。また、移動凹部材４が支持棒部材３の一端部３ａ側へ移動すると、支持棒部材３の長手方向に直交する方向が縮むように撓み変形する。
【００２３】
ロッド６は、一端側に把持部６ａを有した棒状部材である。ロッド６は、長手方向に直交する方向に突出する円柱形状の係合突起６ｃが形成されている。このロッド６は、把持部６ａが外部に露出するように支持棒部材３の一端部３ａ側の内部に配設される。この際、ロッド６は、係合突起６ｃが支持棒部材３の係合穴３ｃに係合される。そうすると、ロッド６は、係合突起６ｃが係合穴３ｃに沿って移動することによって、支持棒部材３の長手方向に対して移動可能及び周方向に対して回転可能となる。また、押し上げロッド８は、支持棒部材３の他端部３ｂ側の内部にコイルばね１０を介して配設される。
【００２４】
図４を参照しながら、移動凸部材７について説明する。図４（Ａ）は、移動凸部材７を示す断面図である。図４（Ｂ）は、図４（Ａ）のＩＶＢ−ＩＶＢ矢視図であり、移動凸部材７の平面図を示す図である。
【００２５】
移動凸部材７は、円柱形状の本体から径方向に突出する板状凸部７ｃを四個有している。そして、移動凸部材７は、軸方向の一端側にロッド６の他端側が挿入されるロッド挿入穴７ａと、軸方向の他端側に押し上げロッド８の一端側が挿入される押し上げロッド挿入穴７ｂと、が形成されている。
【００２６】
移動凸部材７は、支持棒部材３の内部に移動可能に配される。この際、移動凸部材７の板状凸部７ｃは、ガイド長穴３ｄから支持棒部材３の外部に突出する。ガイド長穴３ｄから支持棒部材３の外部に突出した移動凸部材７の板状凸部７ｃは、移動凹部材４の凹部４ｃと係合する。また、移動凸部材７は、ロッド挿入穴７ａにロッド６が挿し込まれ、押し上げロッド挿入穴７ｂに押し上げロッド８が挿し込まれる。
【００２７】
図５及び図１を参照してロック機構１１を説明する。ロック機構１１は、ロッド６を支持棒部材３の長手方向へ移動できないようにロックする機構である。ロック機構１１は、ロッド６の係合突起６ｃと、支持棒部材３のＴ字状の係合穴３ｃと、を備えている。
【００２８】
図５は、ドレンキャップ１が排水口２１に固定される前の様子を示しており、ロッド６は、支持棒部材３に対してその長手方向に移動可能である。この状態をロック解除状態と呼ぶ。そして、図５の状態から、係合突起６ｃがＴ字状の係合穴３ｃと当接するまでロッド６を押し下げたのち、ロッド６を軸に対して回転させて係合突起６ｃを支持棒部材３の周方向に移動させると図１の状態になる。図１の状態では、ロッド６は、支持棒部材３の長手方向へ移動できないようにロックされている。この状態をロック状態と呼ぶ。
【００２９】
図５、図６、図１を参照して、ドレンキャップ１が排水口２１に固定される様子を説明する。図６は、（Ａ）は、図５の状態からロッド６を押し下げた様子を示す側面図である。図６（Ｂ）は、図６（Ａ）の状態から更にロッド６を押し下げた様子を示す側面図である。
【００３０】
図５に示すように、ドレンキャップ１を排水口２１に固定する際は、先ず支持棒部材３を排水口２１の中に挿入する。このとき、ロック機構１１は、ロック解除状態にされている。ドレンキャップ１は、ロック機構１１がロック解除状態にされていると、押し上げロッド８がコイルばね１０によって移動凸部材７を図中上方向へ押し上げ、移動凸部材７と移動凹部材４が離れる。移動凸部材７と移動凹部材４が離れた通常状態において、可撓性帯状部材５は、排水口２１の径よりも出っ張らないようになっている。
【００３１】
次に、ロッド６を押し下げると、ロッド６によって移動凸部材７が下に押し下げられる。そうすると、移動凸部材７によって移動凹部材４が押し下げられ、移動凹部材４の下降に伴い可撓性帯状部材５が撓み変形する。すなわち、ロッド６は、移動凸部材７を介して移動凹部材４を支持棒部材３の長手方向に移動させて可撓性帯状部材５を撓ませる。
【００３２】
図６（Ａ）に示すように、ロッド６を押し下げていくと、可撓性帯状部材５が排水口２１の径方向に広がり、先ず可撓性帯状部材５のうち撓み部５ａが排水口２１の内周面に接触する。このとき、撓み部５ａよりも剛性の高い高剛性部５ｂは、撓まず直線状の形を維持する。また、撓み部５ａの接触部分は、排水口２１の内周面の接触部分と面接触する。ここで、可撓性帯状部材５の高剛性部５ｂと、支持棒部材３の長手方向に直交する方向（水平方向）に延びる仮想直線と、がなす角をαとする。
【００３３】
図６（Ｂ）に示すように、ロッド６を更に押し下げると、可撓性帯状部材５の高剛性部５ｂと水平方向に延びる仮想直線がなす角がαよりも小さいβとなり、撓み部５ａが排水口２１の内周面に接触する面積が増える。このとき、ドレンキャップ１には、可撓性帯状部材５から、可撓性帯状部材５の高剛性部５ｂが傾くに伴い下向きに引き込む力が発生する。
【００３４】
図１に示すように、ロッド６を更に押し下げたのちにロッド６を回転させて、ロック機構１１をロック状態にする。そうすると、ロッド６は、支持棒部材３の長手方向に移動できなくなり、可撓性帯状部材５の状態が保たれる。すなわち、ロック機構１１は、可撓性帯状部材５を撓ませて排水管の内周面に接触させた状態でロッド６を固定させる。
【００３５】
図７を参照しながら、ドレンキャップ１の他の実施例を説明する。図７は、ドレンキャップ１の他の実施例を示す側面図である。なお、このドレンキャップ１は、コイルばね１２、支持棒部材３の小径部３ｅ、ガイドロッド１８を除き、上述した実施例のドレンキャップ１と同様の構成である。上述した実施例と同様の構成には同一の符号を付し、上述した実施例の説明と重複することになる説明を省略する。
【００３６】
コイルばね１２は、図示するとおり、一端がロッド６に固定され、他端が支持棒部材３の内壁に固定される。このコイルばね１２は、把持部６ａによってロッド６を押し下げると、これに伴って伸び、ロッド６を押し下げるのを止めると、ばね力によってロッド６をもとの位置へ戻すようになっている。すなわち、ロッド６は、ロック状態から解除されると、コイルばね１２の復元力によって、元の位置へ戻るようになっている。
【００３７】
支持棒部材３は、その他端側３ｂの内径が他の部分よりも小径に形成された小径部３ｅを有している。この小径部３ｅは、ガイドロッド１８をガイドする。
【００３８】
また、ガイドロッド１８は、先端が移動凸部材７のロッド挿入穴７ｂに嵌合され、基端側が支持棒部材３の小径部３ｅに配される。これによって、ガイドロッド１８は、移動凸部材７の移動に伴い、基端側が小径部３ｅにガイドされながら移動する。また、このガイドロッド１８は、中空の支持棒部材３の剛性を強める補強部材としても機能する。
【００３９】
本発明のドレンキャップ１によれば、排水口２１に取り付ける際、可撓性帯状部材５は、排水口２１の径よりも出っ張らないようになっており、挿入後にロッド６を押し下げることで可撓性帯状部材５がドレンキャップ１を排水口２１に固定する。これによって、従来のドレンキャップ１と比較し排水口２１への取り付けが容易である。
【００４０】
また、本発明のドレンキャップ１によれば、可撓性帯状部材５が排水管の径方向への力だけでなく、排水管の軸方向へ引き込む力も発生させる。これによって、従来のドレンキャップ１００と比較し、強い固定力で取り付けられる。
【００４１】
なお、本発明のドレンキャップは、上述の実施例にのみ限定されるものではない。例えば、高剛性部５ｂが撓み部５ａよりも剛性が高い態様を、ステンレス鋼を厚み方向に重ね合せることによって撓み部５ａよりも剛性を高める態様で説明したがこれに限定されるものではない。例えば、高剛性部５ｂの幅方向に対して波打つようにプレス加工して撓み部５ａよりも剛性を高くしても良い。
【００４２】
また、可撓性帯状部材５を支持棒部材３の周りに四つ配置する構成で説明したがこれに限定されない。例えば、一つでも良いし、二つ、三つ、五つ、六つといった複数配置する構成でも良い。
【００４３】
また、可撓性帯状部材５は、撓み部５ａが移動凹部材４の固定部４ｂに、高剛性部５ｂが支持棒部材３の他端部３ｂに固定される構成で説明したがこれに限定されない。可撓性帯状部材５は、高剛性部５ｂが移動凹部材４の固定部４ｂに、撓み部５ａが支持棒部材３の他端部３ｂに上下逆にして固定しても良い。
【００４４】
また、実施例と他の実施例を組み合わせてコイルばね１０とコイルばね１２と小径部３ｅの全てを構成として有しても良い。
【００４５】
本発明のドレンキャップは、本発明の要旨を逸脱しない範囲内において、種々変更できる。
【符号の説明】
【００４６】
１  ドレンキャップ
２  キャップ本体
３  支持棒部材
３ａ  一端部
３ｂ  他端部
３ｅ  小径部
４  移動凹部材（移動部材）
５  可撓性帯状部材（可撓性部材）
５ａ  撓み部
５ｂ  高剛性部
６  ロッド
１１  ロック機構
１８  ガイドロッド
２１  排水口
【図１】
0006348399.tif 000002
【図２】
0006348399.tif 000003
【図３】
0006348399.tif 000004
【図４】
0006348399.tif 000005
【図５】
0006348399.tif 000006
【図６】
0006348399.tif 000007
【図７】
0006348399.tif 000008
【図８】
0006348399.tif 000009